(57)【要約】【課題】杭を引き起こす際の安定性を考慮し、杭の損傷を防止する杭打方法を提供することを目的とする。【解決手段】杭打機とクレーンとを使用して杭打する杭打方法において、水平に置かれている杭を等分した位置及び杭の両端を支持点とし、杭の一端の支持点を上端部分玉掛ワイヤに緊結し、この上端部分玉掛ワイヤを杭打機フックに掛止させる。そして、上端部分玉掛けワイヤに緊結された支持点を除く隣り合う支持点を複数の玉掛ワイヤに緊結させ、この玉掛ワイヤをクレーンから延びるクレーンワイヤロープに滑車を介して掛止させる。その後、玉掛ワイヤを緊張させながら杭を引き起こし、杭打を行う。【選択図】図１
2010031593.tif 000002
【特許請求の範囲】
【請求項１】
杭打機とクレーンとを使用して杭打する杭打方法において、
水平に置かれている杭を等分した位置及び杭の両端を支持点とし、杭の一端の支持点を上端部分玉掛ワイヤの一端に緊結する上端部分緊結工程と、
その後、この上端部分玉掛ワイヤの他端を、上記杭打機から延びる杭打機ワイヤロープの先端に取り付けられた杭打機フックに掛止させる杭打機フック掛止工程と、
上端部分玉掛ワイヤを緊結させた支持点を除く隣り合う支持点を複数の玉掛ワイヤの両端に緊結する支持部分緊結工程と、
その後、これらの玉掛ワイヤを、上記クレーンから延びるクレーンワイヤロープの先端にそれぞれ取り付けられた滑車に、それぞれ掛止させる玉掛ワイヤ掛止工程と、
その後、これらの玉掛ワイヤを緊張させながら上記杭打機にて上記杭打機フックを引き上げることにより上記上端部分玉掛ワイヤに緊結されている支持点を上に向けて杭を垂直に引き起こす引き起こし工程と、
その後、この杭打機にてこの杭を杭打する杭打工程とを有する杭打方法。
【発明の詳細な説明】
【技術分野】
【０００１】
本発明は、杭打作業を行う際に杭を引き起こして杭打する杭打方法に関する。
【背景技術】
【０００２】
従来、杭打を行う場合、引用文献１のように、杭材用ワイヤをフックに取付け、杭材の上端部分を杭材用ワイヤに取り付け、フックを引き上げることにより杭を引き起こし、杭打していた。
【特許文献１】特開平１０−１１４９４０号公報
【発明の開示】
【発明が解決しようとする課題】
【０００３】
しかしながら、従来の方法によれば、杭を引き起こした際に杭を支えているのは、杭の上端部分の１箇所のみである。このため、引き起こし時の杭の安定性に問題があった。さらに、杭の不安定性から起因する杭の損傷の発生を生ずる。
そこで、本願発明は、杭を引き起こす際の安定性を考慮し、杭の損傷を防止する杭打方法を提供することを目的とする。
【課題を解決するための手段】
【０００４】
請求項１に記載の発明は、杭打機とクレーンとを使用して杭打する杭打方法において、水平に置かれている杭を等分した位置及び杭の両端を支持点とし、杭の一端の支持点を上端部分玉掛ワイヤの一端に緊結する上端部分緊結工程と、その後、この上端部分玉掛ワイヤの他端を、上記杭打機から延びる杭打機ワイヤロープの先端に取り付けられた杭打機フックに掛止させる杭打機フック掛止工程と、上端部分玉掛ワイヤを緊結させた支持点を除く隣り合う支持点を複数の玉掛ワイヤの両端に緊結する支持部分緊結工程と、その後、これらの玉掛ワイヤを、上記クレーンから延びるクレーンワイヤロープの先端にそれぞれ取り付けられた滑車に、それぞれ掛止させる玉掛ワイヤ掛止工程と、その後、これらの玉掛ワイヤを緊張させながら上記杭打機にて上記杭打機フックを引き上げることにより上記上端部分玉掛ワイヤに緊結されている支持点を上に向けて杭を垂直に引き起こす引き起こし工程と、その後、この杭打機にてこの杭を杭打する杭打工程とを有する杭打方法である。
【０００５】
上記杭打機とは、地表面、又は水底に杭を打ち込む機械であり、杭打機リーダと、杭打ハンマとを備えている。この杭打機には、作業車に取り付けられているもの、または作業船に取り付けられているものがある。
【０００６】
上記クレーンは、リーダとクレーンワイヤロープを有するものであり、リーダが伸縮自在に構成されているものである。このクレーンは、上記杭打機と同様に作業車に取り付けられているもの、または作業船に取り付けられているものがある。たとえば、この杭打機とクレーンが同じ１台の作業船に取り付けられている。
【０００７】
上記杭は、１本の棒材であり、長さは任意である。一般的に５０ｍ杭が用いられている。この杭は、コンクリート杭、鉄鋼杭などがあり、いずれも適用できる。
【０００８】
上端部分玉掛ワイヤと玉掛ワイヤは、ともに鋼線の素線をより合わせて製作されたロープである。
【０００９】
杭打機で杭打するとは、杭打機にハンマが設けられ、このハンマを用いて杭を叩打することである。このハンマは、ディーゼルハンマ、油圧ハンマなどがあり、いずれも適用できる。
【００１０】
請求項１に記載の発明によれば、複数の支持点にて杭を玉掛ワイヤにて支持されているため、杭の一箇所にかかる曲げモーメントが小さくなる。そのため、杭が屈曲することなく、杭を引き起こすことができる。また、玉掛ワイヤを滑車に掛止しているため、杭を引き起こす際のバランスを保つことができる。このため安全に杭を引き起こすことができる。
【発明の効果】
【００１１】
本願発明によれば、複数の支持点にて杭を玉掛ワイヤにて支持されているため、杭の一箇所にかかる曲げモーメントが小さくなる。そのため、杭が屈曲することなく、杭を引き起こすことができる。また、玉掛ワイヤを滑車に掛止しているため、杭を引き起こす際のバランスを保つことができる。このため安全に杭を引き起こすことができる。
【発明を実施するための最良の形態】
【００１２】
以下、作業船にて本願発明における杭打方法について図１〜図２を用いて説明する。
【００１３】
１．支持点を決める
船上に杭１０を、載置する。杭１０は、一本のコンクリート杭である。この杭１０の長さは５０ｍである。
この杭１０を等分した位置、及び杭の両端を支持点３０とする。本実施例では、杭を４等分した位置、及び杭の両端が支持点３０となる。
この支持点３０に後述する上端部分玉掛ワイヤ１１及び、後述する玉掛ワイヤ１４が緊結される。
【００１４】
２．上端部分緊結工程
上記支持点３０のうち、一方の端部の支持点３０ａに上端部分玉掛ワイヤ１１が緊結される。
この上端部分玉掛ワイヤ１１は、鋼線の素線をより合わせて製作されたロープである。
この支持点３０ａを通るように上端部分玉掛ワイヤ１１の一端をあだ巻き掛けで緊結する。あだ巻き掛けで緊結することにより、杭１０を持ち上げても、杭１０が滑り落ちることが無く、安全に作業を行うことができる。なお、杭１０にフックが固着している場合、上端部分玉掛ワイヤ１１をフックに掛止してもよい。
【００１５】
３．杭打機フック掛止工程
作業船に取り付けられている杭打機本体１００から延びる杭打機ワイヤロープ１３の先端には杭打機フック１２が設けられている。この杭打機フック１２は金属製である。この杭打機ワイヤロープ１３と杭打機フック１２は、２５ｔの荷重に耐えることができる。
この杭打機フック１２に、上記上端部分玉掛ワイヤ１１の他端を掛止させる。
【００１６】
４．支持部分緊結工程
上記上端部分玉掛ワイヤ１１を緊結された支持点３０ａ以外の支持点３０ｂにおいて、隣り合う支持点３０ｂを玉掛ワイヤ１４の両端に緊結する。本実施例では、４箇所の支持点３０ｂにおいて、隣り合う支持点３０ｂを２本のワイヤの両端に緊結する。
この玉掛ワイヤ１４は、この上端部分玉掛ワイヤ１１と同様、鋼線の素線をより合わせて製作されたロープである。この玉掛ワイヤ１４は、隣り合う支持点間の長さの２倍の長さを有する。
この支持点３０ｂを通るように、この玉掛ワイヤ１４の両端をあだ巻き掛けで緊結する。あだ巻き掛けで緊結することにより、杭１０を持ち上げても、杭１０が滑り落ちることが無く、作業を安全に行うことができる。なお、杭１０に溝が形成されている場合、この溝に嵌合するように玉掛ワイヤを緊結してもよい。
【００１７】
５．玉掛ワイヤ掛止工程
作業船に取り付けられているクレーン２００から延びる複数のクレーンワイヤロープ１８の先端に、クレーンフック１７が設けられている。本実施例ではクレーン２００からクレーンワイヤロープ１８が２本延びている。このクレーンワイヤロープ１８にそれぞれクレーンフック１７が設けられている。このクレーンワイヤロープ１８とクレーンフック１７は、２５ｔの荷重に耐えることができる。
このクレーンフック１７に、台付ワイヤ１６の一端が掛止される。そして、この台付ワイヤ１６の他端には滑車１５が掛止される。そして、上記玉掛ワイヤ１４の中間部分を滑車１５に掛止する。玉掛ワイヤ１４の中間部分とは、玉掛ワイヤ１４の両端に挟まれた部分をいう。
この滑車１５は、スナッチブロックである。つまり、この滑車１５は、円盤と、軸と、枠とフックから構成されており、枠には側板を有し、この側板が開閉することにより、玉掛ワイヤ１４を円盤に掛止することができる。台付ワイヤ１６は、スナッチブロックのフックに掛止される。
【００１８】
６．引き起こし工程
上記クレーンワイヤロープ１８をウィンチで巻き上げることにより玉掛ワイヤ１４を緊張させる。このとき、滑車１５の円盤が回転し、玉掛ワイヤ１４が安定した角度で滑車１５に支持される。
同時に杭打機１００にて杭打機フック１２を引き起こす。つまり、上端部分玉掛ワイヤ１１に緊結されている支持点３０ａを上に向けて、杭１０を上に向けて、杭１０を垂直に引き起こす。このとき、クレーンリーダを旋回させ、杭打ハンマの直下、すなわち、杭打する地点に杭が垂直に引き起こす。このときも、ウィンチでクレーンワイヤロープ１８を巻き上げることにより、玉掛ワイヤ１４を緊張させる。
このとき、杭の引き起こし角度が大きくなる。玉掛ワイヤ１４は滑車１５に支持されているため、杭１０の引き起こし角度が大きくなっても、緊張させながら、玉掛ワイヤ１４は杭を支持することができる。
玉掛ワイヤ１４は滑車１５の溝に掛止されている。このため玉掛ワイヤ１４が滑車１５から外れずに、杭１０を引き起こすことができる。
【００１９】
７．杭打工程
杭１０を引き起こした後、杭１０に緊結されている玉掛ワイヤ１４を取り外す。玉掛ワイヤ１４を取り外した後において、杭１０は、上端部分玉掛ワイヤ１１のみにより支持されている。玉掛ワイヤ１４を取り外した後、杭打機１００に取り付けられているハンマで叩打する。
【００２０】
以上の工程を経ることにより、杭１０を屈曲させることなく、安全に杭打することができる。また、作業船にクレーンと杭打機本体が備えられていれば、１台の作業船にて安全に作業することができる。
【図面の簡単な説明】
【００２１】
【図１】（ａ）杭が水平に置かれ、玉掛ワイヤと上端部分玉掛ワイヤを緊結した時の側面図である。（ｂ）杭を引き起こしている時の側面図である。
【図２】杭打船において、杭を引き起こしているときの側面図である。
【符号の説明】
【００２２】
１０  杭、
１１  上端部分玉掛ワイヤ、
１２  杭打機フック、
１３  杭打機ワイヤロープ、
１４  玉掛ワイヤ、
１５  滑車、
１８  クレーンワイヤロープ、
３０  支持点、
１００  杭打機、
２００  クレーン。
【図１】
2010031593.tif 000003
【図２】
2010031593.tif 000004